(57)【要約】【課題】ＭＣＡ端末局側で聴取するＲＢＴ信号やＢＴ信号の音質の劣化を防ぐ。【解決手段】ＭＣＡ回線制御装置２００とＭＣＡ端末局３００とをコーディック２０２，３０２とを使用して低ビットレートのデジタル無線回線で接続し、かつＭＣＡ回線制御装置２００を構内電話システム１００に接続した無線電話システムにおいて、ＭＣＡ回線制御装置２００に、構内電話システム１００から送出されるトーン信号を識別検出してその検出情報をコーディック２０２を介してデジタル無線回線に送出するトーン信号検出部２０３を設け、ＭＣＡ端末局３００のコーディック３０２とＭＣＡ電話機３０４との間に前記検出情報を受信することにより前記トーン信号を生成するトーン信号生成部３０３を設ける。【選択図】図１
2008092298.tif 000002
【特許請求の範囲】
【請求項１】
ＭＣＡ回線制御装置とＭＣＡ端末局とを前記ＭＣＡ回線制御装置側に設けた第１のコーディックと前記ＭＣＡ端末局側に設けた第２のコーディックとを使用して低ビットレートのデジタル無線回線で接続し、かつ前記ＭＣＡ回線制御装置を構内電話システムに接続した無線電話システムにおいて、
前記ＭＣＡ回線制御装置に、前記構内電話システムから送出されるトーン信号を識別検出してその検出情報を前記第１のコーディックを介して前記デジタル無線回線に送出するトーン信号検出部を設け、
前記ＭＣＡ端末局の前記第２のコーディックとＭＣＡ電話機との間に、前記検出情報を受信することにより前記トーン信号を生成するトーン信号生成部を設けたことを特徴とする無線電話システム。
【請求項２】
請求項１に記載の無線電話システムにおいて、
前記トーン信号検出部は、ＲＢＴ信号又はＢＴ信号を区別して検出し、該検出結果に応じて該ＲＢＴ信号又は該ＢＴ信号の検出情報を送出し、
前記トーン信号生成部は、前記ＲＢＴ信号の検出情報を入力したときは前記ＲＢＴ信号を生成し、前記ＢＴ信号の検出情報を入力したときは前記ＢＴ信号を生成することを特徴とする無線電話システム。
【発明の詳細な説明】
【技術分野】
【０００１】
本発明は、ＭＣＡ無線電話システムで聴取する呼出音としてのＲＢＴ（リングバックトーン）や話中音としてのＢＴ（ビジートーン）等のトーン信号の音質劣化を防止した無線電話システムに関するものである。
【背景技術】
【０００２】
図５は従来のＭＣＡ無線電話システムを構内電話システムと組み合わせた無線電話システムの構成を示すブロック図である。１００は構内交換機（ＰＢＸ）１０１および内線電話機１０２を有する構内電話システム、２００ＡはＭＣＡ回線制御装置本体２０１および狭帯域音声符号化／復号化を行うコーディック２０２を有するＭＣＡ回線制御装置、３００ＡはＭＣＡ端末制御部３０１、コーディック３０２およびＭＣＡ電話機３０４を有するＭＣＡ端末局であり、ＭＣＡ回線制御装置２００ＡとＭＣＡ端末制御部３００ＡによりＭＣＡ無線電話システムが構成されている。このような構成に類似する無線電話システムとしては、特許文献１に記載がある。
【０００３】
構内電話システム１００とＭＣＡ回線制御装置２００Ａはμlaw形式のデータ（サンプリング周波数が８ｋＨｚ、量子化ビットが８ビット）のデジタル有線回線で接続され、ＭＣＡ回線制御装置２００ＡとＭＣＡ端末局３００Ａはコーディック２０２，３０２を使用した低ビットレート（２．４ｋｂｐｓ）のデジタル無線回線で接続されている。なお、ＭＣＡ端末局３００ＡやＭＣＡ端末局３００Ａ内のＭＣＡ電話機３０４は複数が設置されるが、ここでは１台のみを示した。内線電話機１０２も同様に１台のみを示した。
【０００４】
図６のタイムチャートに示すように、ＭＣＡ電話機３０４から内線電話機１０２に発呼した場合、ＭＣＡ回線制御装置本体２０１から構内交換機１０１に対するシグナルが起動され、続いて選択信号（ＤＴＭＦ信号）が送出される。構内交換機１０１は選択信号の解析（番号解析）の後、対象の内線電話機１０２がアイドル状態の場合、その内線電話機１０２に対して呼出（ベル鳴動）を行うとともに、ＭＣＡ回線制御装置２００Ａに対してＲＢＴ信号を送出する。この間、ＭＣＡ回線制御装置２００ＡとＭＣＡ端末局３００Ａの間では、呼設定受付、呼出等の無線区間開通の確認処理が行われる。
【０００５】
前記したＲＢＴ信号は、コーディック２０２による符号化処理の後にデジタル無線回線でＭＣＡ端末局３００Ａに送られ、コーディック３０２による復号処理の後にＭＣＡ電話機３０４に送出される。そして、内線電話機１０２がフックオフされると、その応答がシグナルとなってＭＣＡ回線制御装置２００Ａに送出され、ＭＣＡ端末局３００Ａに送られて応答確認が行われると、通話に移行する。
【０００６】
なお、対象の内線電話機１０２が話中であった場合は、構内交換機１０１がＭＣＡ回線制御装置２００Ａに対してＢＴ信号を送出する。このＢＴ信号も、コーディック２０２による符号化処理の後にＭＣＡ端末局３００Ａに送られ、コーディック３０２による復号処理の後にＭＣＡ電話機３０４に送出される。
【０００７】
以上のように、ＭＣＡ電話機３０４から内線電話機１０２に対して発呼した場合は、ＭＣＡ電話機３０４側の発呼者は、構内交換機１０１から送られてきたＲＢＴ信号やＢＴ信号を実際に聴取することによって、当該の内線電話機１０２が呼出中かあるいは話中かを知ることができる。
【特許文献１】特許第２５０６７６５号公報
【発明の開示】
【発明が解決しようとする課題】
【０００８】
ところが、ＭＣＡ無線電話システムでは、前記したように音声信号について、低ビットレート（２．４ｋｂｐｓ）で、コーディック２０２，３０２によって狭帯域音声符号化／復号化の処理が行われる。この処理は人間の通話音声に特化したアルゴリズムで行われるので、ＲＢＴ信号やＢＴ信号の内容（例えば、ＲＢＴ信号は４００Hzで２０Hz変調の信号を１秒鳴動、２秒休止を繰り返す信号、ＢＴ信号は４００Hzの信号を０．５秒鳴動、０．５秒休止を繰り返す信号）は構内交換機１０１が作成した本来のトーン信号から大幅に変形されてしまい、実際にＭＣＡ電話機３０４では聴きずらいという問題がある。
【０００９】
本発明の目的は、ＭＣＡ端末局側においてＲＢＴ信号やＢＴ信号の音質劣化を防止した無線電話システムを提供することである。
【課題を解決するための手段】
【００１０】
上記した目的を達成するために、請求項１にかかる発明は、ＭＣＡ回線制御装置とＭＣＡ端末局とを前記ＭＣＡ回線制御装置側に設けた第１のコーディックと前記ＭＣＡ端末局側に設けた第２のコーディックとを使用して低ビットレートのデジタル無線回線で接続し、かつ前記ＭＣＡ回線制御装置を構内電話システムに接続した無線電話システムにおいて、前記ＭＣＡ回線制御装置に、前記構内電話システムから送出されるトーン信号を識別検出してその検出情報を前記第１のコーディックを介して前記デジタル無線回線に送出するトーン信号検出部を設け、前記ＭＣＡ端末局の前記第２のコーディックとＭＣＡ電話機との間に、前記検出情報を受信することにより前記トーン信号を生成するトーン信号生成部を設けたことを特徴とする。
請求項２にかかる発明は、請求項１に記載の無線電話システムにおいて、前記トーン信号検出部は、ＲＢＴ信号又はＢＴ信号を区別して検出し、該検出結果に応じて該ＲＢＴ信号又は該ＢＴ信号の検出情報を送出し、前記トーン信号生成部は、前記ＲＢＴ信号の検出情報を入力したときは前記ＲＢＴ信号を生成し、前記ＢＴ信号の検出情報を入力したときは前記ＢＴ信号を生成することを特徴とする。
【発明の効果】
【００１１】
本発明によれば、ＭＣＡ回線制御装置とＭＣＡ端末局との間のデジタル無線回線が通話音声に特化した低ビットレートの回線であっても、ＭＣＡ端末局側において、ＲＢＴ信号やＢＴ信号の音質の劣化を防止することができる。
【発明を実施するための最良の形態】
【００１２】
図１は本発明の実施例のＭＣＡ無線電話システムを構内電話システムと組み合わせた無線電話システムの構成を示すブロック図である。図５で説明したものと同じものには同じ符号をつけた。本実施例では、図５におけるＭＣＡ回線制御装置２００Ａを、ＲＢＴ信号とＢＴ信号を検出するトーン信号検出部２０３を追加したＭＣＡ回線制御装置２００に置き換えるとともに、図５におけるＭＣＡ端末局３００Ａを、ＲＢＴ信号とＢＴ信号を生成するトーン信号生成部３０３を設けたＭＣＡ端末局３００に置き換える。
【００１３】
図２に示すタイムチャートのように、ＭＣＡ電話機３０４から内線電話機１０２に発呼した場合、ＭＣＡ回線制御装置本体２０１から構内交換機１０１に対するシグナルが起動され、続いて選択信号（ＤＴＭＦ信号）が送出される。構内交換機１０１は選択信号の解析（番号解析）の後、対象の内線電話機１０２がアイドル状態の場合、その内線電話機１０２に対して呼出（ベル鳴動）を行うとともに、ＭＣＡ回線制御装置２００に対してＲＢＴ信号を送出する。この間、ＭＣＡ回線制御装置２００とＭＣＡ端末局３００の間では、呼設定受付、呼出等の無線区間開通の確認処理が行われる。
【００１４】
前記したＲＢＴ信号は、ＭＣＡ回線制御装置２００のトーン信号検出部２０３で検出され、その検出情報は「呼出情報」として、コーディック２０２よる狭帯域音声符号化処理の後にＭＣＡ端末局３００に送られ、コーディック３０２による復号処理の後にトーン信号生成部３０３に取り込まれる。トーン信号生成部３０３では、その「呼出情報」を取り込むと、ＲＢＴ信号を生成してＭＣＡ電話機３０４に送出する。そして、内線電話機１０２がフックオフされると、その応答がシグナルとなりＭＣＡ回線制御装置２００に送出され、ＭＣＡ端末局３００に送られて、応答確認が行われると、通話に移行する。
【００１５】
なお、対象の内線電話機１０２が話中であった場合は、図３のタイムチャートに示すように、構内交換機１０１がＭＣＡ回線制御装置２００に対してＢＴ信号を送出する。このＢＴ信号も、トーン信号検出部３０３によって検出され、その検出情報は「切断情報」として、コーディック２０２よる狭帯域音声符号化処理の後にＭＣＡ端末局３００に送られ、コーディック３０２による復号処理の後にトーン信号生成部３０３に取り込まれる。トーン信号生成部３０３では、その「切断情報」を取り込むと、ＢＴ信号を生成してＭＣＡ電話機３０４に送出する。
【００１６】
以上のように、トーン信号検出部２０３では、ＲＢＴ信号が検出されたときは「呼出情報」を、ＢＴ信号が検出されたときは「切断情報」をそれぞれ出力し、それらがコーディック２０２，３０２で符号化／復号化されるが、このときの「呼出情報」や「切断情報」を当該コーディック２０２、３０２での符号化／復号化に適した信号形式にしておけば、その「呼出情報」や「切断情報」がそれらコーディック２０２、３０２で劣化することはない。よって、トーン信号生成部３０３では正確な「呼出情報」や「切断情報」を受け取ることが可能となり、それら「呼出情報」や「切断情報」に基づいて、トーン信号生成部３０３で音質の良好なＲＢＴ信号、ＢＴ信号を生成して、ＭＣＡ電話機３０４に送ることが可能となる。
【００１７】
なお、回線混雑等のメッセージを流すトーキーは、通常の音声信号と同等であり、コーディック２０２，３０２による符号化／復号化での劣化は生じないので、図４に示すように、トーン信号検出部２０３ではこれを検出せず、そのままコーディック２０２に入力させる。
【図面の簡単な説明】
【００１８】
【図１】本発明の実施例のＭＣＡ無線電話システムを構内電話システムと組み合わせた無線電話システムの構成を示すブロック図である。
【図２】本実施例の無線電話システムにおけるＲＢＴ信号送出時のタイムチャートである。
【図３】本実施例の無線電話システムにおけるＢＴ信号送出時のタイムチャートである。
【図４】本実施例の無線電話システムにおけるトーキー信号送出時のタイムチャートである。
【図５】従来のＭＣＡ無線電話システムを構内電話システムと組み合わせた無線電話システムの構成を示すブロック図である。
【図６】従来の無線電話システムにおけるＲＢＴ信号送出時のタイムチャートである。
【符号の説明】
【００１９】
１００：構内電話システム、１０１：構内交換機、１０２：内線電話機
２００，２００Ａ：ＭＣＡ回線制御装置、２０１：ＭＣＡ回線制御装置本体、２０２：コーディック、２０３：トーン信号検出部
３００，３００Ａ：ＭＣＡ端末局、３０１：ＭＣＡ端末局制御部、３０２：コーディック、３０３：トーン信号生成部、３０４：ＭＣＡ電話機
【図１】
2008092298.tif 000003
【図２】
2008092298.tif 000004
【図３】
2008092298.tif 000005
【図４】
2008092298.tif 000006
【図５】
2008092298.tif 000007
【図６】
2008092298.tif 000008